(57)【特許請求の範囲】
【請求項１】
本体と、
前記本体に着脱自在に設置される筐体と、
前記筐体に連接し、少なくとも１つの第一取付部分を有する第一取付部材と、
前記本体に可動設置され、少なくとも１つのロック部分を有するロック部材と、
を備え、
前記ロック部材を前記本体に相対して第一位置に設置するとき、前記ロック部分は、前記第一取付部材の前記第一取付部分を固定し、
前記ロック部材が前記第一位置から第二位置に移動したとき、前記第一取付部材の前記第一取付部分は、前記ロック部分から外れ、
前記本体は、少なくとも１つの延長段を有し、
前記ロック部材は、少なくとも１つの補助部を有し、
前記補助部と前記ロック部分との間には取付口が設置され、前記取付口には前記延長段が取り付けられることを特徴とする携帯式電子装置の筐体設置機構。
【請求項２】
前記ロック部材と前記本体の間に設置される弾性部材を備え、
前記ロック部材は、前記弾性部材の弾力によって前記第一位置を維持することを特徴とする請求項１記載の携帯式電子装置の筐体設置機構。
【請求項３】
前記本体は、前記ロック部材に対応する解除孔を有することを特徴とする請求項１記載の携帯式電子装置の筐体設置機構。
【請求項４】
前記筐体に連接し、少なくとも１つの第二取付部分を有する第二取付部材を備え、
前記本体は、少なくとも１つの掛合部を有し、
前記第二取付部分は、前記掛合部との接続に用いられ、
前記第二取付部分は、第一段と、前記第一段から湾曲する第二段と、を有し、
前記第二段は、前記本体の前記掛合部に対応し、
前記ロック部材と前記掛合部とは、前記本体に隣接する対応する両側に位置することを特徴とする請求項１記載の携帯式電子装置の筐体設置機構。
【請求項５】
前記第一取付部材の前記第一取付部分は、取付段を有し、
前記ロック部材の前記ロック部分は、ロック段を有し、前記取付段を固定することを特徴とする請求項１記載の携帯式電子装置の筐体設置機構。
【請求項６】
前記ロック段と前記取付段との接触面は、斜面を有することを特徴とする請求項５記載の携帯式電子装置の筐体設置機構。
【請求項７】
前記ロック段と前記取付段との接触面は、平面を有することを特徴とする請求項５記載の携帯式電子装置の筐体設置機構。
【請求項８】
前記ロック部材の前記ロック部分は、第一ガイド面を有し、前記第一取付部材の前記第一取付部分をガイドするのに用いられ、
前記第一取付部材の前記第一取付部分は、第二ガイド面を有し、前記ロック部材の前記第一ガイド面に沿って位置移動することを特徴とする請求項１記載の携帯式電子装置の筐体設置機構。
【請求項９】
本体と、
弾性部材と、
前記本体に可動設置され、少なくとも１つのロック部分を有し、前記ロック部分はガイド面を有し、前記ガイド面は斜面であるロック部材と、
前記本体に設置される筐体と、
前記筐体に連接し、少なくとも１つの取付部分を有する取付部材と、
を備え、
前記筐体に前記本体を設置する過程において、前記取付部材の前記取付部分は、前記ロック部分の前記ガイド面によって前記ロック部材を押し、第一位置から第二位置まで移動させ、
前記ロック部材は、前記弾性部材の弾力によって、前記第二位置から前記第一位置へ移動し、前記ロック部材の前記ロック部分が前記取付部材の前記取付部分を固定し、
前記本体は、少なくとも１つの延長段を有し、
前記ロック部材は、少なくとも１つの補助部を有し、
前記補助部と前記ロック部分との間には取付口が設置され、前記取付口には前記延長段が取り付けられることを特徴とする携帯式電子装置の筐体設置機構。
【発明の詳細な説明】
【技術分野】
【０００１】
本発明は、携帯式電子装置の筐体設置機構に関する。
【背景技術】
【０００２】
科学技術の進歩に伴い、携帯式電子装置は今や人類の生活に無くてはならない生活の一部となっている。中でも携帯式電子装置関連製品、例として、携帯電話は一般に少なくとも筐体を有し、ユーザーは筐体を外してから電池やＳＩＭカード等を交換する作業を行う。
【０００３】
携帯式電子装置の筐体設置機構に関し、既に公開されている特許文献１を参照すると、筐体は本体から便利に取り付けたり、外したりすることが出来る。
【先行技術文献】
【特許文献】
【０００４】
【特許文献１】米国特許第８，８０１，０５０Ｂ２号明細書
【特許文献２】米国特許第９，０７２，１６３Ｂ２号明細書
【発明の概要】
【発明が解決しようとする課題】
【０００５】
本発明は、便利に取り付けたり、外したりすることが出来る携帯式電子装置の筐体設置機構を提供する。
【課題を解決するための手段】
【０００６】
第１発明の携帯式電子装置の筐体設置機構は、本体と、筐体と、第一取付部材と、ロック部材と、を備える。筐体は、本体に着脱自在に設置される。第一取付部材は、筐体に連接し、第一取付部材は少なくとも１つの第一取付部分を有する。ロック部材は、本体に可動設置され、ロック部材は少なくとも１つのロック部分を有する。ロック部材を本体箇所に相対して第一位置に設置するとき、ロック部分は、第一取付部材の第一取付部分を固定する。ロック部材が第一位置から第二位置に移動したとき、第一取付部材の第一取付部分はロック部分から外れる。本体は、少なくとも１つの延長段を有する。ロック部材は、少なくとも１つの補助部を有する。補助部とロック部分との間には、取付口が設けられる。取付口には、延長段が設置される。
【０００７】
一態様では、ロック部材と本体との間に設置される弾性部材をさらに備える。ロック部材は、弾性部材の弾力によって第一位置を維持する。一態様では、本体は、少なくとも１つの掛合部を有し、筐体設置機構は更に第二取付部材を有して筐体に連接する。第二取付部材は、少なくとも１つの第二取付部分を有し、掛合部を接続するのに用いる。
【０００８】
一態様では、第二取付部分は、第一段と、第一段から湾曲する第二段を有する。第二段は、本体の掛合部に対応し、ロック部材と掛合部は本体対応する両側に隣接して位置する。
【０００９】
一態様では、本体は、解除孔を有し、ロック部材に対応する。
【００１０】
一態様では、第一取付部材の第一取付部分は、取付段を有する。ロック部材のロック部分は、ロック段を有し、取付段を固定する。ロック段および取付段の少なくとも一方の接触面は、斜面もしくは平面を有する。
【００１２】
一態様では、ロック部材の一ロック部分は、第一ガイド面を有し、第一取付部材の第一取付部分をガイドするのに用いられる。第一取付部材の第一取付部分は、第二ガイド面を有し、ロック部材の第一ガイド面に沿って移動する。
【００１３】
第２発明における携帯式電子装置の筐体設置機構は、本体と、弾性部材と、ロック部材と、筐体と、取付部材と、を備える。ロック部材は本体に可動自在に設置される。ロック部材は、少なくとも１つのロック部分を有し、ロック部分はガイド面を有する。筐体は、本体に設置される。取付部材は、筐体に連接する。取付部材は、少なくとも１つの取付部分を有する。筐体に本体を設置する過程において、取付部材の取付部分は、ロック部分のガイド面によってロック部材を押し、第一位置から第二位置まで移動させる。ロック部材は、弾性部材の弾力によって第二位置から第一位置へ移動し、ロック部材のロック部分が取付部材の取付部分を固定する。本体は、少なくとも１つの延長段を有する。ロック部材は、少なくとも１つの補助部を有する。補助部とロック部分との間には、取付口が設けられる。取付口には、延長段が設置される。
【図面の簡単な説明】
【００１４】
【図１】本発明の第１実施形態による携帯式電子装置の筐体設置機構の分解斜視図である。
【図１Ａ】図１のうちの１Ａの部分を拡大した図であり、ロック部材は少なくともロック部分を有し、少なくとも第一取付空間に隣接していることを示す図である。
【図１Ｂ】図１のうちの１Ｂの部分を拡大した図であり、第二側は少なくとも第二取付空間を有していることを示す図である。
【図１Ｃ】図１のうちの１Ｃの部分を拡大した図であり、第一取付部材の第一取付部分を表示した図である。
【図１Ｄ】図１のうちの１Ｄの部分を拡大した図であり、第二取付部材の第二取付部分を表示した図である。
【図２】本発明の第１実施形態における本体とロック部材間の分解斜視図である。
【図２Ａ】図２中のうちの２Ａの部分を拡大した図であり、ロック部材が本体の第一部の２個の壁部間の空間内に可動設置され、ロック部材の補助部とロック部分との間の取付口が延長段まで対応して設置されていることを示す図である。
【図２Ｂ】図２のうちの２Ｂの部分を拡大した図であり、弾性部材をロック部材と本体の第一部の壁体の間に設置したことを示す図である。
【図３】本発明の第１実施形態における筐体を本体向きに設置したことを示す断面図である。
【図４】図３の筐体が本体に接触して設置したことを示す断面図である。
【図５】本発明の第１実施形態における筐体が本体に設置され、定位した状態を示す断面図である。
【図６】本発明の第１実施形態による携帯式電子装置の筐体設置機構の断面図である。
【図７】本発明の第１実施形態における筐体設置機構が解除孔を備え、工具を差し入れる前の状態を示す断面図である。
【図８】図７の工具を解除孔に挿入し、且つロック部材を押さえて位置移動する状態を示す断面図である。
【図９】図８の工具でロック部材を押さえて位置移動し、且つ筐体が本体から外れる状態を示す断面図である。
【図１０】本発明の第２実施形態における筐体が本体に設置され、定位した状態を示す断面図である。
【発明を実施するための形態】
【００１５】
以下、本発明の実施の形態を図面に基づいて説明する。以下、複数の実施形態において、実質的に同一の構成には同一の符号を付して説明を省略する。
（第１実施形態）
【００１６】
本発明の第１実施形態による携帯式電子装置の筐体設置機構は、本体２０と、筐体２６と、取付部材２８、３０と、ロック部材２４と、を有する。筐体２６は、本体２２に着脱自在に設置される。取付部材２８、３０は、筐体２６に連接し、少なくとも１つの取付部分４０、４２を有する。ロック部材２４は、本体２２に可動設置され、少なくとも１つのロック部分３８を有する。ロック部材２４が本体２２に相対して第一位置Ｐ１に設置されるとき、ロック部分３８は取付部材２８、３０の取付部分４０、４２を固定する。ロック部材２４が第一位置Ｐ１から第二位置Ｐ２まで移動する時、取付部材２８、３０の取付部分４０、４２は、ロック部分３８から外れることを特徴とする。
【００１７】
図１は、本発明の第１実施形態による携帯式電子装置の筐体設置機構２０であり、本体２２、ロック部材２４、筐体２６、第一取付部材２８を有し、更に第二取付部材３０も有する。本体２２は、複数の側辺部を有し、例として第一側３２ａと、第一側３２ａに対応する第二側３２ｂが設置される。第一側３２ａには、少なくとも１つの第一取付空間３４が形成され、第二側３２Ｂには、少なくとも１つの第二取付空間３６が形成される。ロック部材２４は、本体２２に可動設置され、且つ本体２２に隣接する第一側３２ａに位置する。ロック部材２４は、少なくとも１つのロック部分３８を有し、少なくとも１つの第一取付空間３４に隣接して位置する。筐体２６は、本体２２に着脱自在で取り付けられる。第一取付部材２８と第二取付部材３０とは、それぞれ筐体２６に隣接して対応する両側に連接する。第一取付部材２８は、少なくとも１つの第一取付部分４０を有し、ロック部材２４の少なくとも１つのロック部分３８に対応する。第二取付部材３０は、少なくとも１つの第二取付部分４２を有し、本体２２的第二側３２Ｂの少なくとも１つの第二取付空間３６に対応する。
【００１８】
図２に示すとおり、本体２２は、第一部４４と、第一部４４に相対する位置にある第二部４６を有する。第一部４４は、本体２２の前部にある。第二部４６は、本体２２の後部にある。第一部４４に隣接する第一側３２ａは、少なくとも１つの延長段４８を有する。ロック部材２４は、本体２２の第一部４４にある２箇所の壁部５０、５２間の空間５４内に可動設置される。ロック部材２４は、更に少なくとも１つの補助部５６を有し、少なくとも１つのロック部分３８と対応する。補助部５６とロック部分３８との間には、取付口５８が設置される。取付口５８は、少なくとも１つの延長段４８まで対応して設置される。また、更に弾性部材６０を有する。弾性部材６０は、ロック部材２４と本体２２の第一部４４の壁体６２との間に設置される。
【００１９】
図３に示すとおり、ロック部材２４のロック部分３８は、ロック段６４と第一ガイド面６６を有し、ロック段６４に隣接する。別一面の第一取付部材２８の少なくとも１つの第一取付部分４０は、取付段６８と第二ガイド面７０を有し、取付段６８に隣接する。ロック部材２４は、弾性部材６０の弾力によって、本体２２に対して第一位置Ｐ１を維持する。取付時、操作者は筐体２６を本体２２の方向に移動させることができる。
【００２０】
図４に示すとおり、筐体２６が本体２２に加圧Ｆされて設置される過程において、第一取付部材２８の第一取付部分４０の第二ガイド面７０は、ロック部材２４のロック部分３８の第一ガイド面６６に対応する。第一ガイド面６６は、第一取付部材２８の第一取付部分４０をガイドして筐体２６をロック部材２４の第一ガイド面６６に沿って移動させ、筐体２６を本体２２の取付位置に移動させる。第一ガイド面６６および第二ガイド面７０の少なくとも一方は斜面である。設置過程において、第一取付部材２８の第一取付部分４０がロック部材２４のロック部分３８を押し、ロック部材２４を本体２２に相対して第一位置Ｐ１（図３参照）から第一方向Ｄ１へ向かって第二位置Ｐ２まで移動し、その時、弾性部材６０の弾力によってロック部材２４を位置移動させる。
【００２１】
図５に示すとおり、筐体２６が本体２２の設置位置まで移動して設置する時、弾性部材６０の弾力が緩み、ロック部材２４が第一位置Ｐ１まで戻り、ロック部分３８のロック段６４を第一取付部材２８の第一取付部分４０の取付段６８に固定する。第１実施形態において、ロック段６４と取付段６８と間の接触面は斜面とする。
【００２２】
図６に示すとおり、筐体２６を本体２２上に設置する。具体的には、ロック部材２４は、第一取付部材２８を止める。他に、第二取付部材３０の少なくとも１つの第二取付部分４２は、第一段７２と、第一段７２から湾曲する第二段７４と、を有する。他に、第一段７２は、少なくとも１つの第二取付空間３６から挿入される。第二段７４は、本体２２の少なくとも１つの掛合部７６に対応して接続し、例として凹陥構造のように接続する。
【００２３】
図７から図９に示すように、筐体２６を本体２２から外したい時、操作者は、工具７８を用い、本体２２の解除孔８０から工具７８を挿入し、ロック部材２４に対応させて加圧する。ロック部材２４を第一位置Ｐ１から第一方向Ｄ１へ向け、第二位置Ｐ２まで位置移動させ、第一取付部材２８の第一取付部分４０をロック部材２４のロック部分３８から外し、筐体２６を本体２２から取り外す。そして、操作者は携帯式電子装置の電池もしくはＳＩＭカード等を交換する関連操作を行う。
【００２４】
（第２実施形態）
図１０に示すとおり、本発明の第２実施形態のロック部材２４のうち、ロック部分３８のロック段２００と第一取付部材２８の第一取付部分４０の取付段２０２との間の接触面は平面であり、ロック部分３８同様に、第一取付部分４０を固定する。
【００２５】
本発明は前述の実施形態に示すとおりであるが、それは本発明を限定するものではなく、本発明の請求範囲を基準とする。
【符号の説明】
【００２６】
２０  設置機構
２２  本体
２４  ロック部材
２６  筐体
２８  第一取付部材
３０  第二取付部材
３２ａ  第一側
３２ｂ  第二側
３４  第一取付空間
３６  第二取付空間
３８  ロック部分
４０  第一取付部分
４２  第二取付部分
４４  第一部
４６  第二部
４８  延長段
５０、５２  壁部
５４  空間
５６  補助部
５８  取付口
６０  弾性部材
６２  壁体
６４、２００  ロック段
６６  第一ガイド面
６８、２０２  取付段
７０  第二ガイド面
７２  第一段
７４  第二段
７６  掛合部
７８  工具
８０  解除孔
Ｄ１  第一方向
Ｐ１  第一位置
Ｐ２  第二位置
Ｆ  加圧
【図１】
0006367268.tif 000002
【図１Ａ】
0006367268.tif 000003
【図１Ｂ】
0006367268.tif 000004
【図１Ｃ】
0006367268.tif 000005
【図１Ｄ】
0006367268.tif 000006
【図２】
0006367268.tif 000007
【図２Ａ】
0006367268.tif 000008
【図２Ｂ】
0006367268.tif 000009
【図３】
0006367268.tif 000010
【図４】
0006367268.tif 000011
【図５】
0006367268.tif 000012
【図６】
0006367268.tif 000013
【図７】
0006367268.tif 000014
【図８】
0006367268.tif 000015
【図９】
0006367268.tif 000016
【図１０】
0006367268.tif 000017